(57)【要約】【課題】運転者への振動の伝達を安定して確実に行え、かつ、誤操作による振動停止も抑制できる運転者用振動伝達装置を提供すること。【解決手段】車両の操舵用のステアリングホイール１０と、振動発生部６９と、振動発生部の作動を制御し、運転者の周りの検知手段３０からの信号によって、振動発生部を作動させる制御部５５と、を備える。振動発生部は、ステアリングホイールに配設されて、リング部１１を把持する運転者が触覚により知覚可能となる振動とし、かつ、リング部の把持部位における一部分を、把持部位の残部を振動させない状態として、振動させる振動部位７１、を設けてなる。ステアリングホイールには、操作時に、作動時の振動発生部の動作を停止させるように、制御部に停止信号を出力可能として、運転者の押圧操作で行ない可能な押しボタンタイプとした操作スイッチ９０が、振動部位から離れた部位に設けられている。【選択図】図１
2014069626.tif 000002
【特許請求の範囲】
【請求項１】
車両の操舵用のステアリングホイールと、
該ステアリングホイールに配設されて、該リング部を把持する運転者が触覚により知覚可能となる振動とし、かつ、前記リング部の把持部位における一部分を、把持部位の残部を振動させない状態として、振動させる振動部位、を設けてなる振動発生部と、
前記振動発生部の作動を制御し、運転者の周りの検知手段からの信号によって、前記振動発生部を作動させる制御部と、
を具備して構成されるとともに、
操作時に、作動時の前記振動発生部の動作を停止させるように、前記制御部に停止信号を出力可能として、運転者の押圧操作で行ない可能な押しボタンタイプとした操作スイッチが、前記振動部位から離れた前記ステアリングホイールの部位に設けられて構成されていることを特徴とする運転者用振動伝達装置。
【請求項２】
前記振動発生部の振動部位が、前記運転者の手との接触部の最大外形寸法を１〜２０ｍｍの範囲内とし、かつ、相互の配設ピッチを１０〜５０ｍｍの範囲内として、前記リング部の左右の把持部位に、複数ずつ、配設されていることを特徴とする請求項１に記載の運転者用振動伝達装置。
【請求項３】
前記操作スイッチが、前記ステアリングホイールにおける中央のボス部と前記リング部とを連結するスポーク部の部位に、配設されていることを特徴とする請求項１若しくは請求項２に記載の運転者用振動伝達装置。
【発明の詳細な説明】
【技術分野】
【０００１】
本発明は、車両の操舵用のステアリングホイールにおけるリング部の把持部位の一部分を振動させて、所定の情報、例えば、車両の衝突予測情報、車両の走行案内情報、運転者の運転状態情報等、を伝達可能な運転者用振動伝達装置に関する。
【背景技術】
【０００２】
従来、この種の運転者用振動伝達装置としては、運転者の把持するステアリングホイールのリング部を振動させて、運転者に、居眠りしている運転状態情報を伝達するとともに、覚醒させるように作動する装置があった（例えば、特許文献１参照）。
【先行技術文献】
【特許文献】
【０００３】
【特許文献１】特開２０１２−４０１３４号公報
【発明の概要】
【発明が解決しようとする課題】
【０００４】
しかし、従来装置では、ステアリングホイールのリング部からステアリングホイールの中心のボス部に連なるスポーク部に、振動モータを配設して、リング部の全体を振動させていた。そのため、車両の走行中では、路面からの振動と誤認する虞れもあり、改善の余地があった。
【０００５】
また、従来装置では、振動発生後に運転者が振動を停止させるように操作する操作スイッチ（アンサーバックスイッチ、キャンセルスイッチ）として、リング部の外周面に面状に設けた圧力センサを利用していた。すなわち、リング部の振動を停止させる際には、運転者がリング部を強く握って、圧力センサにその圧力を検知させることにより、振動モータの作動を停止させていた。
【０００６】
しかし、従来装置では、面状の圧力センサが操作スイッチとしていることから、居眠りしていても、部分的にリング部を握れば、圧力センサが圧力を検知して、誤操作されて振動を停止させる虞れがあり、改善の余地があった。
【０００７】
本発明は、上述の課題を解決するものであり、運転者への振動の伝達を安定して確実に行え、かつ、誤操作による振動停止も抑制できる運転者用振動伝達装置を提供することを目的とする。
【課題を解決するための手段】
【０００８】
＜請求項１の説明＞
本発明に係る運転者用振動伝達装置では、車両の操舵用のステアリングホイールと、
該ステアリングホイールに配設されて、該リング部を把持する運転者が触覚により知覚可能となる振動とし、かつ、前記リング部の把持部位における一部分を、把持部位の残部を振動させない状態として、振動させる振動部位、を設けてなる振動発生部と、
前記振動発生部の作動を制御し、運転者の周りの検知手段からの信号によって、前記振動発生部を作動させる制御部と、
を具備して構成されるとともに、
操作時に、作動時の前記振動発生部の動作を停止させるように、前記制御部に停止信号を出力可能として、運転者の押圧操作で行ない可能な押しボタンタイプとした操作スイッチが、前記振動部位から離れた前記ステアリングホイールの部位に設けられて構成されていることを特徴とする。
【０００９】
本発明に係る運転者用振動伝達装置では、振動発生部が作動して振動部位が振動すれば、その振動は、リング部の把持部位における一部分での振動であって、把持部位におけるその周囲の部位では振動していない。すなわち、振動部位の振動は、リング部の全体の振動ではないことから、運転者は、その振動発生部における振動部位の振動を明確に知覚できる。
【００１０】
そして、運転者が振動を停止させるように操作スイッチを操作する場合には、その操作スイッチが押しボタンタイプとし、かつ、その操作スイッチの押圧操作部が、振動部位から離れたステアリングホイールの部位に設けられていることから、通常走行時の手の配置状態では操作し難く、運転者は、所定の指を操作スイッチの押圧操作部側に動かす動作を伴なって、操作スイッチの押圧操作部を操作することとなり、誤操作を防止できる。
【００１１】
したがって、本発明に係る運転者用振動伝達装置では、運転者への振動の伝達を安定して確実に行え、かつ、誤操作による振動停止も安定して抑制することができる。
【００１２】
＜請求項２の説明＞
本発明に係る運転者用振動伝達装置では、前記振動発生部の振動部位が、前記運転者の手との接触部の最大外形寸法を１〜２０ｍｍの範囲内とし、かつ、相互の配設ピッチを１０〜５０ｍｍの範囲内として、前記リング部の左右の把持部位に、複数ずつ、配設されていることが望ましい。
【００１３】
このような構成では、振動部位が、複数配設されており、運転者に対し、振動部位の振動の有無を、一層、安定かつ確実に、知覚させることができる。
【００１４】
さらに、複数の振動部位が、それぞれ、運転者の手との接触部の最大外形寸法を１〜２０ｍｍの範囲内とし、そして、相互の配設ピッチを１０〜５０ｍｍの範囲内として、隣接して配設されており、各々の振動部位の振動の有無や、各々の振動部位の振動する時期に順番を設ける等すれば、多種の振動パターンで、運転者に振動を伝達することができ、運転者への振動によって伝達する情報が、多種ある場合、それらの種類によって、所定の振動パターンで、振動部位を振動させれば、円滑に、所定の情報を伝達することができる。特に、リング部の把持部位に設けた振動部位の振動によって、所定の情報を運転者に伝達することから、リング部を把持した状態の走行中でも、運転者の視野や周囲の音に惑わされること無く、円滑に、所定の情報を伝達することができる。
【００１５】
なお、複数の振動部位は、それぞれ、運転者の手との接触部の最大外形寸法を１〜２０ｍｍの範囲内としており、リング部の表面側に円滑に配設できるとともに、運転者の手が複数の振動部位と同時に接触して知覚できる。さらに、複数の振動部位が、相互の配設ピッチを１０〜５０ｍｍの範囲内としており、運転者が、それぞれの振動部位の振動を別々に認識し易い。すなわち、振動部位の相互の配設ピッチが１０ｍｍ未満では、二箇所の振動部位が別々に振動しても、一箇所での振動部位の振動と誤認する虞れが生じ、振動部位の相互の配設ピッチが５０ｍｍを超えては、一方の振動部位が、運転者の手から外れて、振動を知覚できなくなる場合が生ずるからである。
【００１６】
＜請求項３の説明＞
本発明に係る運転者用振動伝達装置では、前記操作スイッチが、前記ステアリングホイールにおける中央のボス部と前記リング部とを連結するスポーク部の部位に、配設されていることが望ましい。
【００１７】
このような構成では、操舵時であれば触れてしまう虞れのあるリング部でなく、かつ、リング部から大きく離れるステアリングホイールの中央のボス部でなく、走行中のリング部を把持している手に近い位置のスポーク部に、操作スイッチを配置できることから、一層、誤操作を防止して、操作スイッチの操作を迅速に行うことができ、振動部位の振動を迅速に停止させることができる。
【図面の簡単な説明】
【００１８】
【図１】本発明の一実施形態の運転者用振動伝達装置を示す概略説明図である。
【図２】実施形態のステアリングホイールの部分縦断面図であり、図１のII−II部位に対応する。
【図３】実施形態のリング部の部分横断面図であり、図２のIII−III部位に対応する。
【図４】実施形態のステアリングホイールの部分縦断面図であり、図１のIV−IV部位に対応する。
【図５】実施形態の運転者用振動伝達装置の制御系統を示す概略説明図である。
【図６】実施形態の運転者用振動伝達装置の振動処理を説明するフローチャートである。
【図７】実施形態の運転者用振動伝達装置の車外警告振動処理を説明するフローチャートの前半部分である。
【図８】実施形態の運転者用振動伝達装置の車外警告振動処理を説明するフローチャートの後半部分である。
【図９】実施形態の運転者用振動伝達装置の車両誘導振動処理を説明するフローチャートの前半部分である。
【図１０】実施形態の運転者用振動伝達装置の車両誘導振動処理を説明するフローチャートの後半部分である。
【図１１】実施形態の運転者用振動伝達装置の運転者警告振動処理を説明するフローチャートである。
【図１２】車外警告振動処理の振動パターンにおける前右側警告パターンを説明する図である。
【図１３】車外警告振動処理の振動パターンにおける前左側警告パターンを説明する図である。
【図１４】車外警告振動処理の振動パターンにおける後方側警告パターンを説明する図である。
【図１５】車両誘導振動処理の振動パターンにおける右折誘導パターンを説明する図である。
【図１６】車両誘導振動処理の振動パターンにおける左折誘導パターンを説明する図である。
【図１７】車両誘導振動処理の振動パターンにおける右レーン誘導パターンを説明する図である。
【図１８】車両誘導振動処理の振動パターンにおける左レーン誘導パターンを説明する図である。
【図１９】車両誘導振動処理の振動パターンにおける目的地接近パターンを説明する図である。
【図２０】運転者警告振動処理の振動パターンにおける覚醒パターンを説明する図である。
【図２１】運転者警告振動処理の振動パターンにおける注意パターンを説明する図である。
【図２２】実施形態のステアリングホイールの変形例を示す平面図である。
【図２３】図２２に示すステアリングホイールの部分縦断面図であり、図２２のXXIII−XXIII部位に対応する。
【発明を実施するための形態】
【００１９】
以下、本発明の一実施形態を図面に基づいて説明すると、実施形態の運転者用振動伝達装置Ｍは、図１，５に示すように、ステアリングホイール１０、検知手段３０、及び、制御装置５０、を備えて構成されている。制御装置５０は、実施形態の場合には、カーナビゲーションシステム３４を内蔵したスマートフォン等の携帯端末５１から構成されている。ステアリングホイール１０は、後述するように、複数の振動部位７１（Ｖ１〜Ｖ８）を振動させる振動発生部６９を備えるとともに、観察カメラ３５の画像データや操作スイッチ９０の操作信号を制御装置５０側に送信したり、振動発生部６９を作動させる信号を受信する送受信部６７を備えて構成されている。
【００２０】
制御装置５０は、ステアリングホイール１０に配設された振動発生部６９の作動を制御する制御部５５を備えている。制御部５５は、判定部５７と、振動処理実行部６６と、を備えて構成される。判定部５７は、検知手段３０からの情報データを受け取り、その情報が運転者に伝達する情報であると判定した際、判定した情報の種類を振動処理実行部６６に送り、振動処理実行部６６は、後述するようなフローチャート（図６〜１１参照）により、その情報に対応した振動パターンで振動発生部６９を作動させるように、作動信号を発信する。
【００２１】
検知手段３０としては、実施形態の場合、前側衝突予測検知手段とした車両の前方側を撮影する前側カメラ３１、レーン検知手段としての車両の前方側を撮影する前側カメラ３２、後側衝突予測検知手段とした車両の後方側を撮影する後側カメラ３３、及び、運転者の運転状態検知手段としての運転者の顔を撮影する観察カメラ３５、が使用されている。
【００２２】
なお、各検知手段３０は、制御部５５へ情報データを出力するために、所定の無線で送信可能な送信手段を備え、また、制御部５５には、それらの情報データを受信する受信手段を備えて構成されている。
【００２３】
また、検知手段３０としては、カメラの他、レーダ等の公知の代替品を利用してもよい。さらに、実施形態では、車両の誘導案内用の走行検知手段として、カーナビゲーションシステム３４を利用している。
【００２４】
制御部５５における検知手段３０からの情報を判定する判定部５７は、車両の衝突予測情報を判定する車外警告判定部５８、車両の走行案内情報を判定するナビゲーション判定部５９、及び、運転者の運転状態情報を判定する運転者警告判定部６０、を備えて構成されている。これらの種々の判定部５７や振動処理実行部６６を備えた制御部５６は、所定のＣＰＵ，ＲＡＭ，ＲＯＭを備えたマイクロコンピュータ（マイコン）から構成され、その制御を簡単に述べれば、検知手段３０からの情報データを、ＲＯＭに記憶されたプログラムに基づいて、ＲＡＭの作業領域で分析し、所定の閾値を超えたと判定された際、判定部５７が、その判定結果に基づいて、情報の種類を振動処理実行部６６に出力し、振動処理実行部６６が、その情報に対応した所定の振動パターンを、準備された多種の振動パターンから選択し、その選択した振動パターンを実行するように、振動発生部６９側に作動信号を、無線で出力することとなる。
【００２５】
そして、車外警告判定部５８では、前側カメラ３１で撮影された画像データから、右側から相対的に車両に接近する障害物、あるいは、左側から相対的に接近する障害物を識別し、それらの障害物が車両と衝突すると予測される場合に、振動処理実行部６６側に、前右側警告パターンや前左側警告パターンの各振動パターンを実行するような情報データを出力する。
【００２６】
また、車外警告判定部５８は、後側カメラ３３で撮影された画像データから、後側から相対的に車両に接近する障害物を識別し、その障害物が車両と衝突すると予測される場合に、振動処理実行部６６側に、後方側警告パターンの振動パターンを実行するような情報データを出力する。
【００２７】
ナビゲーション判定部５９は、カーナビゲーションシステム３４の車両走行案内の案内信号を入力して、カーナビゲーションシステム３４の画像案内や音声案内に連動するように、あるいは、先行して、振動処理実行部６６側に、所定の振動パターンを実行するような情報データを出力する。例えば、カーナビゲーションシステム３４が、車両の右折案内、左折案内、あるいは、目的地に接近した案内を行う場合には、ナビゲーション判定部５９は、それらの信号を入力して、右折誘導パターン、左折誘導パターン、目的地接近パターンの各振動パターンを実行するような情報データを、振動処理実行部６６側に、出力する。
【００２８】
さらに、実施形態の場合には、ナビゲーション判定部５９は、車両を、右折や左折、あるいは、目的地で停止させる際に、予め、レーンを変更したほうがよい場合には、前側カメラ３２からの画像データから、現在の走行レーンと比較して、変更するレーンがあると判定した場合に、右レーン誘導パターンや左レーン誘導パターンの各振動パターンを実行するような情報データを、振動処理実行部６６側に、出力する。
【００２９】
運転者警告判定部６０は、ステアリングホイール１０のリング部１１に設けた観察カメラ３５で撮影された画像データから、運転者のまぶたが閉じている時間の割合が通常時より長くなって運転者が居眠りをしていると判定した際、覚醒パターンの振動パターンを実行するような情報データを、振動処理実行部６６側に、出力する。また、運転者警告判定部６０は、観察カメラ３５で撮影された画像データから、運転者の目が正面から外れている時間の割合が正面視の通常時より多くなって、運転者が脇見をしていると判定した際、注意パターンの振動パターンを実行するような情報データを、振動処理実行部６６側に、出力する。
【００３０】
そして、振動処理実行部６６は、所定の振動パターンを実行するための情報データを入力すれば、ＲＯＭに記憶された所定の振動パターンのプログラムに基づいて、ＲＡＭの作業領域で作業しつつ、所定の振動パターンで作動させるように、振動発生部６９の作動を制御する（図６〜１１参照）。
【００３１】
ステアリングホイール１０は、図１に示すように、操舵時に把持する円環状のリング部１１、リング部１１の中央のボス部２５、及び、リング部１１とボス部２５とを連結する複数のスポーク部２０、を備えて構成されている。ステアリングホイール１０には、リング部１１を把持する運転者が触覚により知覚可能となる振動を発生させるための振動発生部６９が配設されている。
【００３２】
この振動発生部６９は、運転者の手Ｈ（左手ＬＨ、右手ＲＨ）に接触可能な接触部７５を備えた複数の振動部位７１と、各振動部位７１の振動動作を制御するマイコンからなる振動調整部（振動制御部）７０と、を備えて構成されている。振動調整部７０は、ボス部２５に配設されている。そして、振動発生部６９は、振動処理実行部６６からの作動信号に基づいて、振動調整部７０が各振動部位７１の作動を個別に制御するように、構成されている。
【００３３】
なお、振動調整部７０は、ボス部２５の内部ばかりでなく、ボス部２５の下方を覆う図示しないロアカバーの側面に配設させてもよい。
【００３４】
そして、実施形態の場合、振動部位７１は、車両の直進走行時の一般的な把持部位、換言すれば、前側の左右のスポーク部２０Ｌ，２０Ｒ近傍のエリア１５Ｌ，１５Ｒ、の外周側に、リング部１１の周方向に沿って４つずつ（Ｖ１，Ｖ２，Ｖ３，Ｖ４，Ｖ５，Ｖ６，Ｖ７，Ｖ８）配設されている。各振動部位７１は、接触部７５の露出部位（運転者に直接接触する部位であり、実施形態の場合、突起部７５ａとなる）の最大外形寸法（最大幅寸法）Ｂ０を、運転者の手Ｈより小さく、そして、リング部１１の表面側に円滑に配置可能で、かつ、運転者の手Ｈが複数の振動部位７１と同時に接触して知覚できる大きさの１〜２０ｍｍの範囲内とし（実施形態では１０ｍｍ）、相互の配設ピッチＰを、隣接する振動部位７１相互の振動を個別に知覚できる１０〜５０ｍｍの範囲内に設定されている（実施形態では３０ｍｍ）。
【００３５】
なお、接触部７５における運転者の手Ｈと接触する突起部７５ａは、最大外形寸法Ｂ０を１ｍｍ未満とすれば、手Ｈの関節等の凹み部分に入って、知覚できない虞れが生じ、最大外形寸法Ｂ０を２０ｍｍを超える寸法とすれば、図２に示すように、リング部１１の断面寸法の上下方向の長軸の長さ寸法ＬＬが３５〜４０ｍｍ程度、短軸の長さ寸法ＳＬが２５〜３０ｍｍ程度であって、リング部１１の表面側に円滑に配置できず、操舵時の感触を悪化させてしまうことから、１〜２０ｍｍの範囲内、望ましくは、３〜１５ｍｍの範囲内がよい。
【００３６】
また、振動部位７１の配設ピッチＰは、１０ｍｍ未満では、二箇所の振動部位７１が別々に振動しても、一箇所での振動部位７１の振動と誤認する虞れが生じ、振動部位７１の相互の配設ピッチＰが５０ｍｍを超えては、一方の振動部位７１が、運転者の手Ｈから外れて、振動を知覚できなくなる場合が生ずる虞れがあり、１０〜５０ｍｍの範囲内、望ましくは、２０〜４０ｍｍの範囲内がよい。
【００３７】
そして、各振動部位７１は、リング部１１の芯金１２を被覆する合成樹脂製の被覆層１３に、丸孔状の凹部１４を設け、接触部７５を振動させるための振動子７４、例えば、セラミック振動子７４を設けてなる発振ユニット７３を配置させて構成されている。発振ユニット７３は、振動子７４を電気的に振動させる発振回路を備えて構成されるとともに、リング部１１の芯金１２におけるリング部１１の外周面側に配置されている。具体的には、各発振ユニット７３は、芯金１２に支持される基部７２に取り付けられ、リング部１１の断面中心Ｏから外方に向かう方向に沿って、振動子７４を、例えば、百Hz前後〜数ｋHz程度の振動数で振動させる。各振動子７４は、既述の所定の発振回路を利用して、振動処理実行部６６の作動信号に基づく振動発生部６９の制御により、ON／OFFの他、振動数（Hz）だけでなく、振幅（dB）も、運転者が検知できる適正な範囲内の振幅で振動させる。
【００３８】
接触部７５は、外方に突出する板状の突起部７５ａを備え、突起部７５ａは、運転者が通常操舵時に違和感なく知覚できるように、リング部１１の被覆層１３の外表面からの突出量ｈを、０．１〜５ｍｍとしている（実施形態では、１ｍｍ）。
【００３９】
そして、発振ユニット７３が、凹部１４に収納された状態で、基部７２を介在させて芯金１２に支持されていることから、接触部７５が、運転者の触覚により知覚できるように振動しても、被覆層１３における凹部１４の周縁の一般部１３ａは振動せず、的確に、振動部位７１の部位（接触部７５の突起部７５ａ）だけの振動を、運転者に伝達可能となる。
【００４０】
また、ステアリングホイール１０には、図１，４に示すように、振動発生部６９の作動を運転者が自発的に停止させることができるように、操作時に、振動発生部６９の作動を停止させるように制御部５５に停止信号を出力可能な操作スイッチ（アンサースイッチ、キャンセルスイッチ）９０が設けられている。操作スイッチ９０は、運転者の押圧操作で行ない可能な押しボタンタイプとして、略円柱状の押圧操作部９１を、エリア１５Ｌ，１５Ｒ付近におけるリング部１１近傍のスポーク部２０（２０Ｌ，２０Ｒ）の部位に、配設されている。押圧操作部９１は、操作時、下方へ押し込み操作することにより、送受信部６７を経て、制御部５５に振動発生部６９の停止信号を出力する。
【００４１】
この操作スイッチ９０の押圧操作部９１の配置位置は、振動部位７１から離れた位置であって、通常走行時の手Ｈの配置状態では操作し難く、運転者が、意識しつつ所定の指を動かすような動作（例えば、親指を曲げる動作）を伴なって、操作する配置位置としている。
【００４２】
ちなみに、スポーク部２０での操作スイッチ９０の配置位置は、誤操作を防止でき、かつ、リング部１１から大きく手を離さずに操作できるように、ボス部２５を中心としたリング部１１の断面中心Ｏを通る円弧状の中心線ＯＣからの離隔距離ＡＬを、２０〜１００ｍｍの範囲内、好ましくは、３０〜５０ｍｍの範囲内とすることが望ましい（実施形態では、３５ｍｍ）。
【００４３】
さらに、押圧操作部９１の先端面９１ａは、スポーク部２０の被覆層１３の外周面と面一でもよいが、押圧操作し易いように、突出量ｈ１を０．１〜３ｍｍの範囲内として、若干、突出している（実施形態では、１ｍｍ）。
【００４４】
また、この押圧操作部９１の露出部位（操作時の接触部位）の最大外形寸法（最大幅寸法）Ｂ１も、運転者の手Ｈより小さく、かつ、リング部１１の表面側に円滑に配置可能な１〜２０ｍｍの範囲内、望ましくは、３〜１５ｍｍの範囲内としている（実施形態では１０ｍｍ）。
【００４５】
つぎに、実施形態の振動部位Ｖ１〜Ｖ８の振動パターンを説明すれば、例えば、車両の前右側から接近する障害物があって車両との衝突を予測されるような場合、図１２のＡに示す前右側警告パターンで振動発生部６９を振動（作動）させる。この前右側警告パターンでの振動パターンは、リング部１１の右側のエリア１５Ｒにおいて、振動部位Ｖ１，Ｖ３が同時に振動し、ついで、それらの後側の振動部位Ｖ２，Ｖ４が同時に振動し、再度、振動部位Ｖ１，Ｖ３が振動し、これらの挙動を繰り返す振動パターンである。
【００４６】
そして、このような振動パターンで振動しても、操作スイッチ９０の応答が無い場合には、運転者が気付き易いように、図１２のＢに示す強化パターンとなって、振動部位Ｖ１，Ｖ３と振動部位Ｖ２，Ｖ４との振動時に繰り返す周期が短く、また、振幅も大きくするような振動パターンとする。例えば、図１２のＡに示す通常パターンの周期が０．５秒とすれば、図１２のＢに示す強化パターンでは０．３秒とし、振幅も５割程度大きくする。
【００４７】
また、車両の前左側から接近する障害物があって車両との衝突を予測されるような場合には、図１３のＡに示す前左側警告パターンで振動発生部６９を振動させる。この前左側警告パターンでの振動パターンは、リング部１１の左側のエリア１５Ｌにおいて、振動部位Ｖ５，Ｖ７が同時に振動し、ついで、それらの後側の振動部位Ｖ６，Ｖ８が同時に振動し、再度、振動部位Ｖ５，Ｖ７が同時に振動し、これらの挙動を繰り返す振動パターンである。
【００４８】
そして、このような振動パターンで振動しても、操作スイッチ９０の応答が無い場合には、運転者が気付き易いように、図１３のＢに示す強化パターンとなって、振動部位Ｖ５，Ｖ７と振動部位Ｖ６，Ｖ８との振動時に繰り返す周期が短く、また、振幅も大きくするような振動パターンとする。
【００４９】
例えば、図１３のＡに示す通常パターンの周期が０．５秒とすれば、図１３のＢに示す強化パターンでは０．３秒とし、振幅も５割程度大きくする。
【００５０】
さらに、車両の後方側から接近する障害物があって車両との衝突を予測されるような場合には、図１４のＡに示す後方側警告パターンで振動発生部６９を振動させる。この後方側警告パターンでの振動パターンは、リング部１１の左右のエリア１５Ｌ，１５Ｒにおいて、後端側の左右の振動部位Ｖ４，Ｖ８が同時に振動し、ついで、それらの前側の振動部位Ｖ３，Ｖ７、振動部位Ｖ２，Ｖ６、振動部位Ｖ１，Ｖ５が、順に、同時に振動し、再度、振動部位Ｖ４，Ｖ８が同時に振動し、これらの挙動を繰り返す振動パターンである。
【００５１】
そして、このような振動パターンで振動しても、操作スイッチ９０の応答が無い場合には、運転者が気付き易いように、図１４のＢに示す強化パターンとなって、振動部位Ｖ４，Ｖ８、振動部位Ｖ３，Ｖ７、振動部位Ｖ２，Ｖ６、振動部位Ｖ１，Ｖ５と順に振動する挙動を繰り返す周期が短く、また、振幅も大きくするような振動パターンとする。
【００５２】
例えば、図１４のＡに示す通常パターンの周期が１秒とすれば、図１４のＢに示す強化パターンでは０．６秒とし、振幅も５割程度大きくする。
【００５３】
また、車両の走行誘導時の振動パターンとして、車両の右折を誘導する右折誘導パターンでは、図１５のＡに示すように、振動部位Ｖ１，Ｖ２，Ｖ３，Ｖ４，Ｖ８，Ｖ７，Ｖ６，Ｖ５，Ｖ１…と、リング部１１の操舵を先行して誘導するように、リング部１１の各振動部位７１を時計回りの順で振動させる振動パターンとする。
【００５４】
そして、このような振動パターンで振動しても、操作スイッチ９０の応答が無い場合には、運転者が気付き易いように、図１５のＢに示す強化パターンとなって、振動部位Ｖ１，Ｖ２，Ｖ３，Ｖ４，Ｖ８，Ｖ７，Ｖ６，Ｖ５，Ｖ１…と振動する周期が短く、かつ、振幅も大きくするように振動パターンとなる。
【００５５】
例えば、図１５のＡに示す通常パターンの周期が２秒とすれば、図１５のＢに示す強化パターンでは１．２秒とし、振幅も５割程度大きくする。
【００５６】
さらに、車両の左折を誘導する左折誘導パターンでは、図１６のＡに示すように、振動部位Ｖ５，Ｖ６，Ｖ７，Ｖ８，Ｖ４，Ｖ３，Ｖ２，Ｖ１，Ｖ５…と、リング部１１の操舵を先行して誘導するように、リング部１１の各振動部位７１を反時計回りの順で振動させる振動パターンとする。
【００５７】
そして、このような振動パターンで振動しても、操作スイッチ９０の応答が無い場合には、運転者が気付き易いように、図１６のＢに示す強化パターンとなって、振動部位Ｖ５，Ｖ６，Ｖ７，Ｖ８，Ｖ４，Ｖ３，Ｖ２，Ｖ１，Ｖ５…と振動する周期が短く、かつ、振幅も大きくするように振動パターンとする。
【００５８】
例えば、図１６のＡに示す通常パターンの周期が２秒とすれば、図１６のＢに示す強化パターンでは１．２秒とし、振幅も５割程度大きくする。
【００５９】
また、車両の走行時に右レーンに誘導する振動パターンでは、図１７のＡに示す右レーン誘導パターンで振動させる。この右レーン誘導パターンでは、左右の前側の振動部位Ｖ６，Ｖ５，Ｖ１，Ｖ２，Ｖ６，Ｖ５…と、順に振動させる。
【００６０】
そして、このような振動パターンで振動しても、操作スイッチ９０の応答が無い場合には、運転者が気付き易いように、図１７のＢに示す強化パターンとなって、振動部位Ｖ６，Ｖ６，Ｖ５，Ｖ５，Ｖ１，Ｖ１，Ｖ２，Ｖ２…と各振動部位７１を二回ずつ振動させるとともに、振幅を大きくする振動パターンで振動させる。
【００６１】
例えば、図１７のＡに示す通常パターンの周期が１秒とすれば、図１７のＢに示す強化パターンでは周期を同じにして、振幅を５割程度大きくする。
【００６２】
さらに、左レーンに誘導する左レーン誘導パターンでは、図１８のＡに示すように、左右の前側の振動部位Ｖ２，Ｖ１，Ｖ５，Ｖ６，Ｖ２，Ｖ１…と、順に振動させる。
【００６３】
そして、このような振動パターンで振動しても、操作スイッチ９０の応答が無い場合には、運転者が気付き易いように、図１８のＢに示す強化パターンとなって、振動部位Ｖ２，Ｖ２，Ｖ１，Ｖ１，Ｖ５，Ｖ５，Ｖ６，Ｖ６，Ｖ２，Ｖ２、Ｖ１，Ｖ１…と各振動部位７１を二回ずつ振動させるとともに、振幅を大きくする振動パターンで振動させる。
【００６４】
例えば、図１８のＡに示す通常パターンの周期が１秒とすれば、図１８のＢに示す強化パターンでは周期を同じにして、振幅を５割程度大きくする。
【００６５】
また、カーナビゲーションシステム３４で設定した目的地に車両が接近した場合には、図１９のＡに示すように、目的地接近パターンの振動パターンで振動させる。この目的地接近パターンは、リング部１１の左右のエリア１５Ｌ，１５Ｒの前側から順に、振動部位Ｖ１，Ｖ５、振動部位Ｖ２，Ｖ６、振動部位Ｖ３，Ｖ７、振動部位Ｖ４，Ｖ８と振動させ、この挙動を繰り返す振動パターンである。
【００６６】
そして、このような振動パターンで振動しても、操作スイッチ９０の応答が無い場合には、運転者が気付き易いように、図１９のＢに示す強化パターンとなって、振動部位Ｖ１，Ｖ５、振動部位Ｖ２，Ｖ６、振動部位Ｖ３，Ｖ７、振動部位Ｖ４，Ｖ８と順に振動させる周期を短く、かつ、振幅を多くするように振動させる。
【００６７】
例えば、図１９のＡに示す通常パターンの周期が１秒とすれば、図１９のＢに示す強化パターンでは０．６秒とし、振幅も５割程度大きくする。
【００６８】
さらに、運転者が居眠りの状態となっていると判定された場合、運転状態情報として、運転者を覚醒させる振動パターンでリング部１１を振動させることとなり、図２０のＡに示すような覚醒パターンとなる振動パターンで振動させる。この覚醒パターンは、全振動部位Ｖ１〜Ｖ８を、断続的に振動させるものである。
【００６９】
そして、このような振動パターンで振動しても、操作スイッチ９０の応答が無い場合には、運転者が気付き易いように、図２０のＢに示す強化パターンとなって、全振動部位Ｖ１〜Ｖ８を、振動時間を長くし、そして、振幅を大きくして、振動させる。
【００７０】
例えば、図２０のＡに示す通常パターンでは、振動時間を０．５秒とすれば、図２０のＢに示す強化パターンでは０．８秒とし、振幅も５割程度大きくする。
【００７１】
また、運転者が脇見をしていると判定された場合、運転状態情報として、運転者に注意を与える振動パターンでリング部１１を振動させることとなって、図２１のＡに示すような注意パターンとなる振動パターンで振動させる。この注意パターンは、左右のエリア１５Ｌ，１５Ｒの前後方向の中央側の振動部位Ｖ２，Ｖ３，Ｖ６，Ｖ７を振動させ、ついで、前後両側の振動部位Ｖ１，Ｖ４，Ｖ５，Ｖ８を振動させ、この挙動を繰り返す振動パターンである。
【００７２】
そして、このような振動パターンで振動しても、操作スイッチ９０の応答が無い場合には、運転者が気付き易いように、図２１のＢに示す強化パターンとなって、振動部位Ｖ２，Ｖ３，Ｖ６，Ｖ７と、振動部位Ｖ１，Ｖ４，Ｖ５，Ｖ８との交互に振動する時間を長く、かつ、振幅を大きくして振動させる。
【００７３】
例えば、図２１のＡに示す通常パターンでは、振動時間を０．５秒とすれば、図２１のＢに示す強化パターンでは振動時間を０．８秒とし、振幅も５割程度大きくする。
【００７４】
なお、上記の振動パターンの強化パターンにおいて、通常パターンより、振幅を大きくし難い場合には、各振動部位７１の振動時間を長したり、周期を短くする、あるいは、所定の振動部位７１を、二回や三回の複数回、断続的に続けて振動させるように、適宜、変更してもよい。
【００７５】
また、上記の振動パターンに限らず、適宜、所定の周期、所定の振動時間、所定の振幅で、各振動部位を振動させてよいことは勿論である。
【００７６】
つぎに、実施形態の運転者用振動伝達装置Ｍの使用状態を説明すれば、車両に携帯端末５１をセットし、エンジンを始動させ、また、携帯端末５１の所定の操作スイッチ部５２を操作して、カーナビゲーションシステム３４を作動させるとともに、所定の目的地をセットする。そして、運転者用振動伝達装置Ｍを作動させるように操作スイッチ部５２を操作して、車両を走行させる。なお、エンジンを始動させて運転者用振動伝達装置Ｍを作動させれば、制御部５５は、各カメラ３１，３２，３３，３５の画像データを受信し、判定部５７で、伝達する情報を判定して、伝達すべき情報が決定されれば、その情報データを振動処理実行部６６に出力し、その情報データを入力した振動処理実行部６６は、後述するように、所定の振動パターンを選択して、その振動パターンで振動発生部６９を作動させるように、ステアリングホイール１０側に作動信号を出力する。
【００７７】
＜振動処理実行部での処理＞
この時、振動処理実行部６６は、図６のフローチャートに示すような振動処理、すなわち、車外警告振動処理（ステップS100）、車両誘導振動処理（ステップS200）、運転者警告振動処理（ステップS300）を、数ｍｓ毎に行う。
【００７８】
１．車外警告振動処理
そして、車外警告振動処理（ステップS100）では、図７に示すように、まず、ステップS101において、振動処理実行部６６のフラグ変数Ａが２か否かを判定し、Ａが２であれば、ステップS116に移行し、Ａが２でなければ、ステップS102に移行し、ステップS102において、フラグ変数Ａが１か否かを判定する。Ａが１であれば、ステップS111に移行し、Ａが１でなければ、制御部５５の判定部５７（車外警告判定部５８）からの車外警告信号の前方側に障害物がある情報データを入力しているか否かを判定する（ステップS103）。そして、ステップS103でYESであれば、ステップS105で情報データが前右側の障害物を示しているか否かを判定し、ステップS105でYESであれば、前右側警告パターンの作動信号を振動発生部６９へ出力できるようにセットし（ステップS106）、さらに、ステップS109に移行して、フラグ変数Ａに１を入れ、前右側警告パターン（図１２のＡ参照）で作動させる作動信号を振動発生部６９に出力する（ステップS110）。そのため、振動発生部６９は、前右側警告パターン（図１２のＡ参照）の振動パターンで各振動部位７１を振動させることとなる。
【００７９】
一方、ステップS105でNOであれば、前左側警告パターンの作動信号を振動発生部６９へ出力できるようにセットし（ステップS107）、さらに、ステップS109に移行して、フラグ変数Ａに１を入れ、前左側警告パターン（図１３のＡ参照）で作動させる作動信号を振動発生部６９に出力する（ステップS110）。そのため、振動発生部６９は、前左側警告パターン（図１３のＡ参照）の振動パターンで各振動部位７１を振動させることとなる。
【００８０】
さらに、ステップS103で前方側に障害物が無い場合には（ステップS103でNO）、ステップS104に移行し、後方側に障害物がある情報データを入力しているか否かを判定し、入力していなければ（ステップS104でNO）、車外警告振動処理（ステップS100）を終え、入力していれば（ステップS104でYES）、後方側警告パターンの作動信号を振動発生部６９へ出力できるようにセットし（ステップS108）、さらに、ステップS109に移行して、フラグ変数Ａに１を入れ、後方側警告パターン（図１４のＡ参照）で作動させる作動信号を振動発生部６９に出力する（ステップS110）。そのため、振動発生部６９は、後方側警告パターン（図１４のＡ参照）の振動パターンで各振動部位７１を振動させることとなる。
【００８１】
その後、ステップS111では、警告の情報データ（障害物信号）が出力し続けているか否か判定し、情報データの入力がなければ、衝突の虞れが無くなったことから、フラグ変数Ａを０にするとともに（ステップS119）、振動発生部６９の作動を停止させて（ステップS120）、車外警告振動処理（ステップS100）を終える。
【００８２】
一方、警告の情報データ（障害物信号）が出力し続けていれば（ステップS111でYES）、ステップS112に移行して、アンサーバック（操作スイッチ９０の押圧操作の信号）があるか否かを判定し、あれば、運転者が衝突の予測する情報データを知覚していることから、振動部位７１を振動させる必要は無く、フラグ変数Ａを０にするとともに（ステップS119）、振動発生部６９の作動を停止させて（ステップS120）、車外警告振動処理（ステップS100）を終える。
【００８３】
そして、ステップS112において、アンサーバック（操作スイッチ９０の押圧操作の信号）がなければ（ステップS112でNO）、ステップS113に移行して、警告パターンで振動し始めて所定時間が経過しているか否か判定し、所定時間の経過がなければ（ステップS113でNO）、所定時間が経過するまで、振動を継続させる。なお、この所定時間は、つぎの振動を強化させる振動パターンに移行するまでの時間であり、例えば、１秒から５秒程度までの間で、予め、適宜設定しておく。あるいは、障害物の相対的な車両への接近速度に対応させて、適宜、増減させてもよい。
【００８４】
そして、ステップS113において、所定時間が経過していれば（ステップS113でYES）、ステップS114に移行し、フラグ変数Ａに２を入れて、ステップS115に移行して、各警告パターンの振動を強化するように、振動発生部６９に作動信号を出力し、ステップS116に移行する。この時、振動発生部６９では、今までの振動パターンが、図１２のＡに示す前右側警告パターンであれば、図１２のＢに示す強化パターンで、各振動部位７１を振動させる。また、今までの振動パターンが、図１３のＡに示す前左側警告パターンであれば、図１３のＢに示す強化パターンで、各振動部位７１を振動させ、さらに、今までの振動パターンが、図１４のＡに示す後方側警告パターンであれば、図１４のＢに示す強化パターンで、各振動部位７１を振動させる。
【００８５】
ステップS116では、警告の情報データ（障害物信号）が出力し続けているか否か判定し、情報データの入力がなければ、衝突の虞れが無くなったことから、フラグ変数Ａを０にするとともに（ステップS121）、振動発生部６９の作動を停止させて（ステップS122）、車外警告振動処理（ステップS100）を終える。
【００８６】
一方、警告の情報データ（障害物信号）が出力し続けていれば（ステップS116でYES）、ステップS117に移行して、アンサーバック（操作スイッチ９０の押圧操作の信号）があるか否かを判定し、あれば、運転者が衝突の予測する情報データを知覚していることから、振動部位７１を振動させる必要は無く、フラグ変数Ａを０にするとともに（ステップS121）、振動発生部６９の作動を停止させて（ステップS122）、車外警告振動処理（ステップS100）を終える。
【００８７】
そして、ステップS117において、アンサーバック（操作スイッチ９０の押圧操作の信号）がなければ（ステップS117でNO）、ステップS118に移行して、強化パターンで振動し始めて所定時間が経過しているか否か判定し、所定時間の経過がなければ（ステップS118でNO）、所定時間が経過するまで、振動を継続させる。
【００８８】
なお、この所定時間の経過を判断するステップS118は、無くともよい。すなわち、アンサーバックの有無を判断するステップS117でYESの場合、ステップS121に移行し、NOの場合、アンサーバック（操作スイッチ９０の押圧操作）があるまで、振動を継続させるようにしてもよい。しかし、このようにした場合、運転者が全く振動を気付かず、振動部位７１を振動させ続ける必要がある場合もあるものの、運転者が気付いても故意に操作スイッチ９０を操作しない場合もあるため、故意にアンサーバックを行わない場合を考慮し、振動部位７１を振動させ続ける無駄を省くため、ステップS118では、ステップS113の経過時間より長くした３０秒〜１分程度の経過時間を設定しておく。
【００８９】
そして、強化パターンの振動時間が所定時間を経過すれば（ステップS118でYES）、振動部位７１を振動させる必要は無く、フラグ変数Ａを０にするとともに（ステップS121）、振動発生部６９の作動を停止させて（ステップS122）、車外警告振動処理（ステップS100）を終える。
【００９０】
２．車両誘導振動処理
車両誘導振動処理（ステップS200）では、図９に示すように、まず、ステップS201において、振動処理実行部６６のフラグ変数Ｂが２か否かを判定し、Ｂが２であれば、ステップS220に移行し、Ｂが２でなければ、ステップS202に移行し、ステップS202において、フラグ変数Ｂが１か否かを判定する。Ｂが１であれば、ステップS215に移行し、Ｂが１でなければ、制御部５５の判定部５７（ナビゲーション判定部５９）からの方向指示がある情報データを入力しているか否かを判定する（ステップS203）。そして、ステップS203でYESであれば、ステップS205で情報データが右折であるか否かを判定し、ステップS205でYESであれば、右折誘導パターンの作動信号を振動発生部６９へ出力できるようにセットし（ステップS206）、さらに、ステップS213に移行して、フラグ変数Ｂに１を入れ、右折誘導パターン（図１５のＡ参照）で作動させる作動信号を振動発生部６９に出力する（ステップS214）。そのため、振動発生部６９は、右折誘導パターン（図１５のＡ参照）の振動パターンで各振動部位７１を振動させることとなる。
【００９１】
一方、ステップS205でNOであれば、左折誘導パターンの作動信号を振動発生部６９へ出力できるようにセットし（ステップS207）、さらに、ステップS213に移行して、フラグ変数Ｂに１を入れ、左折誘導パターン（図１６のＡ参照）で作動させる作動信号を振動発生部６９に出力する（ステップS214）。そのため、振動発生部６９は、左折誘導パターン（図１６のＡ参照）の振動パターンで各振動部位７１を振動させることとなる。
【００９２】
また、ステップS203において、方向指示の情報データがない場合には（ステップS203でNO）、ステップS204に移行して、判定部５７（ナビゲーション判定部５９）からのレーン誘導の情報データを入力しているか否か判定し、ステップS204でYESであれば、ステップS208に移行して、情報データが右レーンであるか否かを判定し、ステップS208でYESであれば、右レーン誘導パターンの作動信号を振動発生部６９へ出力できるようにセットし（ステップS209）、さらに、ステップS213に移行して、フラグ変数Ｂに１を入れ、右レーン誘導パターン（図１７のＡ参照）で作動させる作動信号を振動発生部６９に出力する（ステップS214）。そのため、振動発生部６９は、右レーン誘導パターン（図１７のＡ参照）の振動パターンで各振動部位７１を振動させることとなる。
【００９３】
一方、ステップS208でNOであれば、左レーン誘導パターンの作動信号を振動発生部６９へ出力できるようにセットし（ステップS210）、さらに、ステップS213に移行して、フラグ変数Ｂに１を入れ、左レーン誘導パターン（図１８のＡ参照）で作動させる作動信号を振動発生部６９に出力する（ステップS214）。そのため、振動発生部６９は、左レーン誘導パターン（図１８のＡ参照）の振動パターンで各振動部位７１を振動させることとなる。
【００９４】
さらに、ステップS204でレーン誘導の情報データが無い場合には（ステップS204でNO）、ステップS211に移行し、目的地に接近する情報データを入力しているか否かを判定し、入力していなければ（ステップS211でNO）、車両誘導振動処理（ステップS200）を終え、入力していれば（ステップS211でYES）、目的地接近パターンの作動信号を振動発生部６９へ出力できるようにセットし（ステップS212）、さらに、ステップS213に移行して、フラグ変数Ｂに１を入れ、目的地接近パターン（図１９のＡ参照）で作動させる作動信号を振動発生部６９に出力する（ステップS214）。そのため、振動発生部６９は、目的地接近パターン（図１９のＡ参照）の振動パターンで各振動部位７１を振動させることとなる。
【００９５】
その後、ステップS215では、誘導の情報データ（誘導信号）が出力し続けているか否か判定し、情報データの入力がなければ、車両が誘導済みであったり、誘導箇所を通り過ぎたり、あるいは、エンジンを停止した等により、今回の誘導案内の意味が無くなったことから、フラグ変数Ｂを０にするとともに（ステップS223）、振動発生部６９の作動を停止させて（ステップS224）、車両誘導振動処理（ステップS200）を終える。
【００９６】
一方、誘導の情報データ（誘導信号）が出力し続けていれば（ステップS215でYES）、ステップS216に移行して、アンサーバック（操作スイッチ９０の押圧操作の信号）があるか否かを判定し、あれば、運転者が誘導の情報データを知覚していることから、振動部位７１を振動させる必要は無く、フラグ変数Ｂを０にするとともに（ステップS223）、振動発生部６９の作動を停止させて（ステップS224）、車両誘導振動処理（ステップS200）を終える。
【００９７】
そして、ステップS216において、アンサーバック（操作スイッチ９０の押圧操作の信号）がなければ（ステップS216でNO）、ステップS217に移行して、誘導パターンで振動し始めて所定時間が経過しているか否か判定し、所定時間の経過がなければ（ステップS217でNO）、所定時間が経過するまで、振動を継続させる。なお、この所定時間は、つぎの振動を強化させる振動パターンに移行するまでの時間であり、例えば、２秒から１０秒程度までの間で、予め、適宜設定しておく。あるいは、誘導地点までの車両の接近速度に対応させて、適宜、増減させてもよい。
【００９８】
そして、ステップS217において、所定時間が経過していれば（ステップS217でYES）、ステップS218に移行し、フラグ変数Ｂに２を入れて、ステップS219に移行して、各誘導パターンの振動を強化するように、振動発生部６９に作動信号を出力し、ステップS220に移行する。この時、振動発生部６９では、今までの振動パターンが、図１５のＡに示す右折誘導パターンであれば、図１５のＢに示す強化パターンで、各振動部位７１を振動させ、また、今までの振動パターンが、図１６のＡに示す左折誘導パターンであれば、図１６のＢに示す強化パターンで、各振動部位７１を振動させる。さらに、今までの振動パターンが、図１７のＡに示す右レーン誘導パターンであれば、図１７のＢに示す強化パターンで、各振動部位７１を振動させ、今までの振動パターンが、図１８のＡに示す左レーン誘導パターンであれば、図１８のＢに示す強化パターンで、各振動部位７１を振動させる。また、今までの振動パターンが、図１９のＡに示す目的地接近パターンであれば、図１９のＢに示す強化パターンで、各振動部位７１を振動させる。
【００９９】
ステップS220では、誘導の情報データ（誘導信号）が出力し続けているか否か判定し、情報データの入力がなければ、誘導の意義が無くなったことから、フラグ変数Ｂを０にするとともに（ステップS225）、振動発生部６９の作動を停止させて（ステップS226）、車両誘導振動処理（ステップS200）を終える。
【０１００】
一方、誘導の情報データ（誘導信号）が出力し続けていれば（ステップS220でYES）、ステップS221に移行して、アンサーバック（操作スイッチ９０の押圧操作の信号）があるか否かを判定し、あれば、運転者が誘導する情報データを知覚していることから、振動部位７１を振動させる必要は無く、フラグ変数Ｂを０にするとともに（ステップS225）、振動発生部６９の作動を停止させて（ステップS226）、車両誘導振動処理（ステップS200）を終える。
【０１０１】
そして、ステップS221において、アンサーバック（操作スイッチ９０の押圧操作の信号）がなければ（ステップS221でNO）、ステップS222に移行して、強化パターンで振動し始めて所定時間が経過しているか否か判定し、所定時間の経過がなければ（ステップS222でNO）、所定時間が経過するまで、振動を継続させる。
【０１０２】
なお、この所定時間の経過を判断するステップS222は、無くともよい。すなわち、アンサーバックの有無を判断するステップS221でYESの場合、ステップS225に移行し、NOの場合、アンサーバック（操作スイッチ９０の押圧操作）があるまで、振動を継続させるようにしてもよい。しかし、このようにした場合、運転者が全く振動を気付かず、振動部位７１を振動させ続ける必要がある場合もあるものの、運転者が気付いても故意に操作スイッチ９０を操作しない場合もあるため、故意にアンサーバックを行わない場合を考慮し、振動部位７１を振動させ続ける無駄を省くため、ステップS222では、ステップS217の経過時間より長くした３０秒〜１分程度の経過時間を設定しておく。
【０１０３】
そして、強化パターンの振動時間が所定時間を経過すれば（ステップS222でYES）、振動部位７１を振動させる必要は無く、フラグ変数Ｂを０にするとともに（ステップS225）、振動発生部６９の作動を停止させて（ステップS226）、車両誘導振動処理（ステップS200）を終える。
【０１０４】
３．運転者警告振動処理
運転者警告振動処理（ステップS300）では、図１１に示すように、まず、ステップS301において、振動処理実行部６６のフラグ変数Ｃが２か否かを判定し、Ｃが２であれば、ステップS315に移行し、Ｃが２でなければ、ステップS302に移行し、ステップS302において、フラグ変数Ｃが１か否かを判定する。Ｃが１であれば、ステップS309に移行し、Ｃが１でなければ、制御部５５の判定部５７（運転者警告判定部６０）からの運転状態を警告する情報データとして、運転者の居眠りの情報データを入力しているか否かを判定する（ステップS303）。そして、ステップS303でYESであれば、覚醒パターンの作動信号を振動発生部６９へ出力できるようにセットし（ステップS305）、さらに、ステップS307に移行して、フラグ変数Ｃに１を入れ、覚醒パターン（図２０のＡ参照）で作動させる作動信号を振動発生部６９に出力する（ステップS308）。そのため、振動発生部６９は、覚醒パターン（図２０のＡ参照）の振動パターンで各振動部位７１を振動させることとなる。
【０１０５】
一方、ステップS303でNOであれば、ステップS304に移行し、運転状態を警告する情報データとして、運転者の脇見の情報データを入力しているか否かを判定し、入力していなければ（ステップS304でNO）、運転者警告振動処理（ステップS300）を終え、入力していれば（ステップS304でYES）、注意パターンの作動信号を振動発生部６９へ出力できるようにセットし（ステップS306）、さらに、ステップS307に移行して、フラグ変数Ｃに１を入れ、注意パターン（図２１のＡ参照）で作動させる作動信号を振動発生部６９に出力する（ステップS308）。そのため、振動発生部６９は、注意パターン（図２１のＡ参照）の振動パターンで各振動部位７１を振動させることとなる。
【０１０６】
その後、ステップS309では、アンサーバック（操作スイッチ９０の押圧操作の信号）があるか否かを判定し、あれば、運転者が居眠りや脇見を気付いて応答していることから、振動部位７１を振動させる必要は無く、フラグ変数Ｃを０にするとともに（ステップS310）、振動発生部６９の作動を停止させて（ステップS311）、運転者警告振動処理（ステップS300）を終える。
【０１０７】
そして、ステップS309において、アンサーバック（操作スイッチ９０の押圧操作の信号）がなければ（ステップS309でNO）、ステップS312に移行して、警告パターンで振動し始めて所定時間が経過しているか否か判定し、所定時間の経過がなければ（ステップS312でNO）、所定時間が経過するまで、振動を継続させる。なお、この所定時間は、つぎの振動を強化させる振動パターンに移行するまでの時間であり、例えば、２秒から５秒程度までの間で、予め、適宜設定しておく。
【０１０８】
そして、ステップS312において、所定時間が経過していれば（ステップS312でYES）、ステップS313に移行し、フラグ変数Ｃに２を入れて、ステップS314に移行して、各警告パターンの振動を強化するように、振動発生部６９に作動信号を出力し、ステップS315に移行する。この時、振動発生部６９では、今までの振動パターンが、図２０のＡに示す覚醒パターンであれば、図２０のＢに示す強化パターンで、各振動部位７１を振動させる。また、今までの振動パターンが、図２１のＡに示す注意パターンであれば、図２１のＢに示す強化パターンで、各振動部位７１を振動させる。
【０１０９】
ステップS315では、アンサーバック（操作スイッチ９０の押圧操作の信号）があるか否かを判定し、あれば、運転者が居眠りや脇見に気付いて応答していることから、振動部位７１を振動させる必要は無く、フラグ変数Ｃを０にするとともに（ステップS317）、振動発生部６９の作動を停止させて（ステップS318）、運転者警告振動処理（ステップS300）を終える。
【０１１０】
一方、ステップS315において、アンサーバック（操作スイッチ９０の押圧操作の信号）がなければ（ステップS315でNO）、ステップS316に移行して、強化パターンで振動し始めて所定時間が経過しているか否か判定し、所定時間の経過がなければ（ステップS316でNO）、所定時間が経過するまで、振動を継続させる。
【０１１１】
なお、この所定時間の経過を判断するステップS316は、無くともよい。すなわち、アンサーバックの有無を判断するステップS315でYESの場合、ステップS317に移行し、NOの場合、アンサーバック（操作スイッチ９０の押圧操作）があるまで、振動を継続させるようにしてもよい。しかし、このようにした場合、運転者が全く振動を気付かず、振動部位７１を振動させ続ける必要がある場合もあるものの、運転者が気付いても故意に操作スイッチ９０を操作しない場合もあるため、故意にアンサーバックを行わない場合を考慮し、振動部位７１を振動させ続ける無駄を省くため、ステップS316の経過時間を、ステップS312より長い５〜１５分程度（実施形態では１０分）に長く設定しておいてもよい。
【０１１２】
そのため、強化パターンの振動時間が所定時間を経過すれば（ステップS316でYES）、振動部位７１を振動させる必要は無く、フラグ変数Ｃを０にするとともに（ステップS317）、振動発生部６９の作動を停止させて（ステップS318）、運転者警告振動処理（ステップS300）を終える。
【０１１３】
以上のように、実施形態の運転者用振動伝達装置Ｍでは、振動発生部６９が作動して振動部位７１が振動すれば、その振動は、リング部１１の把持部位のエリア１５Ｌ，１５Ｒにおける一部分での振動であって、把持部位におけるその周囲の一般部１３ａでは振動していない。すなわち、振動部位７１の振動は、リング部１１の全体の振動ではないことから、運転者は、その振動発生部６９における振動部位７１（接触部７５の突起部７５ａ）の振動を明確に知覚できる。
【０１１４】
そして、運転者が振動を停止させるように操作スイッチ９０を操作する場合には、その操作スイッチ９０が押しボタンタイプとし、かつ、その操作スイッチ９０の押圧操作部９１が、振動部位７１から離れたステアリングホイール１０のリング部１１近傍のスポーク部２０Ｌ，２０Ｒに設けられていることから、通常走行時の手Ｈの配置状態では操作し難く、運転者は、意識しつつ、所定の指（例えば、親指）を操作スイッチ９０の押圧操作部９１側に曲げるような動作を伴なって、操作スイッチ９０の押圧操作部９１を操作することとなり、誤操作を防止できる。
【０１１５】
したがって、実施形態の運転者用振動伝達装置Ｍでは、運転者への振動の伝達を安定して確実に行え、かつ、誤操作による振動停止も安定して抑制することができる。
【０１１６】
また、実施形態の運転者用振動伝達装置Ｍでは、振動発生部６９の振動部位が、運転者の手Ｈとの接触部７５の最大外形寸法Ｂ０を１〜２０ｍｍの範囲内の１０ｍｍとし、かつ、相互の配設ピッチＰを１０〜５０ｍｍの範囲内の３０ｍｍとして、リング部１１の左右の把持部位のエリア１５Ｌ，１５Ｒに、複数ずつ（実施形態では４個ずつ）、配設されている。
【０１１７】
そのため、実施形態では、振動部位７１が、複数配設されており、運転者に対し、振動部位７１の振動の有無を、一層、安定かつ確実に、知覚させることができる。
【０１１８】
さらに、複数の振動部位７１が、それぞれ、運転者の手との接触部の最大外形寸法Ｂ０を１〜２０ｍｍの範囲内の１０ｍｍとし、そして、相互の配設ピッチＰを１０〜５０ｍｍの範囲内の３０ｍｍとして、隣接して配設されており、各々の振動部位７１の振動の有無や、各々の振動部位７１の振動する時期に順番を設ける等すれば、多種の振動パターンで、運転者に振動を伝達することができ、運転者への振動によって伝達する情報が、多種ある場合、それらの種類によって、所定の振動パターンで、振動部位を振動させて、円滑に、所定の情報を伝達することができる。特に、リング部１１の把持部位に設けた振動部位７１の振動によって、所定の情報を運転者に伝達することから、リング部１１を把持した状態の走行中でも、運転者の視野や周囲の音に惑わされること無く、円滑に、所定の情報を伝達することができる。
【０１１９】
なお、複数の振動部位７１は、それぞれ、運転者の手Ｈとの接触部７５の最大外形寸法Ｂ０を１〜２０ｍｍの範囲内としており、リング部１１の表面側に円滑に配設できるとともに、運転者の手Ｈが複数の振動部位７１と同時に接触して知覚できる。さらに、複数の振動部位７１が、相互の配設ピッチＰを１０〜５０ｍｍの範囲内としており、運転者が、それぞれの振動部位７１の振動を別々に認識し易い。すなわち、振動部位７１の相互の配設ピッチＰが１０ｍｍ未満では、二箇所の振動部位７１が別々に振動しても、一箇所での振動部位７１の振動と誤認する虞れが生じ、振動部位７１の相互の配設ピッチＰが５０ｍｍを超えては、一方の振動部位７１が、運転者の手から外れて、振動を知覚できなくなる場合が生ずるからである。
【０１２０】
また、実施形態では、リング部１１の左右のエリア１５Ｌ，１５Ｒに４つずつの振動部位７１を配設したが、運転者が把持した左右の手Ｈが、それぞれ、振動を知覚できる配設ピッチＰで、２つずつの振動部位７１を設ける構成としてもよい。勿論、エリア１５Ｌ，１５Ｒやその近傍に、それぞれ、３つずつ、あるいは、５つ以上の振動部位７１を配設してもよい。
【０１２１】
さらに、実施形態の運転者用振動伝達装置Ｍでは、操作スイッチ９０が、ステアリングホイール１０における中央のボス部２５とリング部１１とを連結するスポーク部２０の部位に、配設されている。
【０１２２】
このような構成では、操舵時であれば触れてしまう虞れのあるリング部１１でなく、かつ、リング部１１から大きく離れるステアリングホイール１０の中央のボス部２５でなく、走行中のリング部１１を把持している手に近い位置のスポーク部２０に、操作スイッチ９０を配置できることから、一層、誤操作を防止して、操作スイッチ９０の操作を迅速に行うことができ、振動部位７１の振動を迅速に停止させることができる。
【０１２３】
特に、実施形態では、車両の直進走行時の一般的なリング部１１の把持部位であるエリア１５Ｌ，１５Ｒの近傍となる前側の左右のスポーク部２０Ｌ，２０Ｒ近傍に、操作スイッチ９０を配置し、さらに、それらの配置位置が、ボス部２５を中心としたリング部１１の断面中心Ｏを通る円弧状の中心線ＯＣからの離隔距離ＡＬを、２０〜１００ｍｍの範囲内、望ましくは、３０〜５０ｍｍの範囲内の３５ｍｍとしている。そのため、操作スイッチ９０の操作時には、運転者が、リング部１１を把持した状態で、意識しつつ所定の指を動かすような動作（例えば、親指を曲げる動作）を伴なって、操作することとなることから、実施形態では、誤操作を防止し、かつ、迅速に操作スイッチ９０を操作することができる。
【０１２４】
なお、上記の点を考慮しなけば、図２２，２３のステアリングホイール１０Ａの操作スイッチ９０Ａのように構成してもよい。この操作スイッチ９０Ａは、振動部位７１から離れたリング部１１の部位に配設されている。詳しくは、この操作スイッチ９０Ａは、操作スイッチ９０と同様に、運転者の押圧操作で行ない可能な押しボタンタイプとし、そして、略円柱状の押圧操作部９１を、前端側の左右の振動部位Ｖ１，Ｖ５近傍の前方側に、配設させている。そのため、この押圧操作部９１は、操作時、リング部１１の断面中心Ｏ側に押し込み操作することにより、送受信部６７を経て、制御部５５に振動発生部６９の停止信号を出力することとなる。
【０１２５】
また、この操作スイッチ９０Ａの押圧操作部９１の配置位置も、リング部１１ではあるものの、誤操作を防止できるように、通常走行時の手Ｈの配置状態では操作し難く、運転者が、意識しつつ所定の指を伸ばすような動作を伴なって、操作する配置位置となるように、エリア１５Ｌ，１５Ｒの前端側としている。
【０１２６】
さらに、このリング部１１に配設された操作スイッチ９０Ａの押圧操作部９１の先端面９１ａは、一層の誤操作対策として、被覆層１３の外周面から突出しないように、外周面から若干落ち込んで配設されている。勿論、この点を考慮しなければ、操作スイッチ９０Ａの押圧操作部９１の先端面９１ａは、被覆層１３と面一としてもよい。
【０１２７】
なお、この操作スイッチ９０Ａの押圧操作部９１の露出部位（操作時の接触部位）の最大外形寸法（最大幅寸法）Ｂ１も、運転者の手Ｈより小さく、かつ、リング部１１の表面側に円滑に配置可能な１〜２０ｍｍの範囲内、望ましくは、３〜１５ｍｍの範囲内としている（実施形態では１０ｍｍ）。
【０１２８】
そして勿論、上記の点を考慮しなければ、操作スイッチは、リング部１１から離れたボス部２５の部位、あるいは、ステアリングホイール１０の図示しないロアカバーの側面等に配置させてもよい。
【０１２９】
さらに、実施形態の運転者用振動伝達装置Ｍでは、振動発生部６９の各振動部位７１が、振動子７４の振動で振動するとともに、運転者の手Ｈに接触可能として、リング部１１の断面中心Ｏから外方に向かう方向に沿って振動する接触部７５、を設けて構成されている。
【０１３０】
そのため、実施形態では、振動子７４の振動が、接触部７５を介在させて、運転者の把持する手Ｈに、迅速かつ確実に伝わることとなって、所定の情報を安定して運転者に伝達可能となる。
【０１３１】
そしてまた、接触部７５の振動が振動子７４の振動を利用するものであって、振動子７４の振動の制御は、所定の発振回路を使用することにより、振動の有無（ON／OFF）の他に、振動数や振幅の調整も可能となって、一層、多種の振動パターンで各振動部位を振動させることもできる。
【０１３２】
なお、実施形態では、操作スイッチ９０を操作した際、送受信部６７から制御部５５の振動処理実行部６６に操作信号を発信し、振動処理実行部６６から振動発生部６９の作動停止を行なうように制御したが、操作スイッチ９０を操作した際、送受信部６７から制御部５５の振動処理実行部６６に操作信号を発信する際、同時に、振動発生部６９の作動を、直接、停止させるように、構成してもよい。
【０１３３】
また、実施形態では、振動発生部６９の作動を制御する振動処理実行部６６を、携帯端末５１側に配設したが、適宜、その機能の一部若しくは全部をステアリングホイール１０側で行うように、ステアリングホイール１０側に所定の制御回路を設け、携帯端末５１側から判定部５７の判定結果だけを送信させるように構成してもよい。
【０１３４】
さらに、実施形態では、制御部５５を備えた制御装置５０を、携帯端末５１から構成した場合を示したが、携帯タイプとせずに、車両固定式のビルトインタイプのカーナビゲーションシステムと一体的に、制御装置５０を構成してもよい。このような構成では、データの入出力を無線で行わなくとも、所定のリード線を利用した有線でのデータ交換としてもよい。
【符号の説明】
【０１３５】
１０，１０Ａ…ステアリングホイール、１１…リング部、１５（１５Ｌ，１５Ｒ）…（一般把持部）エリア、３０…検知手段、３１…（前側衝突予測検知手段）前側カメラ、３２…（レーン検知手段）前側カメラ、３３…（後側衝突予測検知手段）後側カメラ、３４…（走行検知手段）カーナビゲーションシステム、３５…（運転状態検知手段）観察カメラ、
５０…制御装置、５５…制御部、５７…判定部、５８…車外警告判定部、５９…ナビゲーション判定部、６０…運転者警告判定部、６６…振動処理実行部、６７…送受信部、６９…振動発生部、７１（Ｖ１〜Ｖ８）…振動部位、７５…接触部、９０，９０Ａ…操作スイッチ、
Ｈ（ＬＨ，ＲＨ）…（運転者の）手、Ｍ…運転者用振動伝達装置。
【図１】
2014069626.tif 000003
【図２】
2014069626.tif 000004
【図３】
2014069626.tif 000005
【図４】
2014069626.tif 000006
【図５】
2014069626.tif 000007
【図６】
2014069626.tif 000008
【図７】
2014069626.tif 000009
【図８】
2014069626.tif 000010
【図９】
2014069626.tif 000011
【図１０】
2014069626.tif 000012
【図１１】
2014069626.tif 000013
【図１２】
2014069626.tif 000014
【図１３】
2014069626.tif 000015
【図１４】
2014069626.tif 000016
【図１５】
2014069626.tif 000017
【図１６】
2014069626.tif 000018
【図１７】
2014069626.tif 000019
【図１８】
2014069626.tif 000020
【図１９】
2014069626.tif 000021
【図２０】
2014069626.tif 000022
【図２１】
2014069626.tif 000023
【図２２】
2014069626.tif 000024
【図２３】
2014069626.tif 000025